(57)【要約】      （修正有）【課題】クラックが入りにくく、経時による劣化もほとんどなく、広い角度範囲で近赤外線の透過がなく、低コストでありながら、色純度の向上、コントラスト向上、輝度向上、消費電力の低減などの効果をもたらす、プラズマディスプレイ、フィールドエミッションディスプレイ、有機エレクトロルミネッサンス等の表示装置や、カメラ、デジタルカメラ、スキャナーなどの画像撮影装置や、ＣＣＤなどの固体表示素子などに好適な光学フィルターを提供すること。【解決手段】樹脂Ａからなる層（Ａ層）と樹脂Ｂからなる層（Ｂ層）を少なくとも有する積層数が３０以上の積層フィルムを含んでなり、８５０〜１０００ｎｍの近赤外線帯域の平均反射率が６０％以上であり、かつ下記式ａおよびｂを満たすことを特徴とする光学フィルター。Ｔ（６３０ｎｍ）−Ｔ（５９５ｎｍ）≧２０％  式ａＴ（３７０ｎｍ）≦５％                      式ｂＴ（ｘ  ｎｍ）：波長ｘ  ｎｍにおける透過率。【選択図】図５
2006126315.tif 000002
【特許請求の範囲】
【請求項１】
樹脂Ａからなる層（Ａ層）と樹脂Ｂからなる層（Ｂ層）を少なくとも有する積層数が３０以上の積層フィルムを含んでなり、波長８５０〜１０００ｎｍの近赤外線帯域の平均反射率が６０％以上であり、かつ下記式ａおよびｂを満たすことを特徴とする光学フィルター。
Ｔ（６３０ｎｍ）−Ｔ（５９５ｎｍ）≧２０％    式ａ
Ｔ（３７０ｎｍ）≦５％                        式ｂ
ここでＴ（ｘ  ｎｍ）：波長ｘ  ｎｍにおける透過率
【請求項２】
下記式ｃ〜ｄを満たすことを特徴とする請求項１に記載の光学フィルター。
Ｔ（５４５ｎｍ）−Ｔ（５００ｎｍ）≧１０％    式ｃ
Ｔ（４５０ｎｍ）−Ｔ（５００ｎｍ）≧１０％    式ｄ
【請求項３】
樹脂Ａおよび／または樹脂Ｂからなる層の厚みが、一方の表面から反対側の表面に向かうにつれ、増加または減少する層構成を有する積層フィルムを含んでなることを特徴とする請求項１または請求項２に記載の光学フィルムター。
【請求項４】
樹脂Ａまたは樹脂Ｂからなる層において、層厚みが２５０ｎｍ以上である層の数が８層以下であり、かつ８０ｎｍ以下である層の数が８層以下である積層フィルムを含んでなることを特徴とする請求項１〜３のいずれかに記載の光学フィルター。
【請求項５】
全光線透過率が９７％以上であり、かつヘイズが０．６％以下である積層数が３０以上の積層フィルムを含んでなることを特徴とする請求項１〜請求項４に記載の光学フィルター。
【請求項６】
４８０〜６３０ｎｍにおける透過率曲線において、３０ｎｍ内の透過率の最大値と最小値の差が１０％以下である積層数が３０以上の積層フィルムを含んでなることを特徴とする請求項１〜５のいずれかに記載の光学フィルター。
【請求項７】
積層フィルム中の光源側表層部の層厚みが、視聴側表層部の層厚みよりも薄いことを特徴とする請求項１〜６のいずれかに記載の光学フィルター。
【請求項８】
８５０〜１０００ｎｍの帯域内の平均反射率が８０％以上であり、かつ１３００ｎｍにおける反射率が３０％以下であることを特徴とする請求項１〜７のいずれかに記載の光学フィルター。
【請求項９】
１０００〜１２００ｎｍにおける平均吸収率が５０％以上であることを特徴とする請求項１〜８のいずれかに記載の光学フィルター。
【請求項１０】
光学フィルターの面に垂直な軸に対し５０°の角度から入射した光線に対して、７００ｎｍにおける透過率が６０％以上であり、９５０ｎｍにおける透過率が４０％以下であることを特徴とする請求項１〜９のいずれかに記載の光学フィルター。
【請求項１１】
視感反射率が４％以下、視感透過率が６０％以上であることを特徴とする請求項１〜１０のいずれかに記載の光学フィルター。
【請求項１２】
積層フィルムに対し染料又は顔料を含む層が隣接し、  樹脂Ｂが他の共重合成分を１７ｍｏｌ％以上含んでなる共重合ポリエステルであり、樹脂Ｂからなる層のいずれかに紫外線吸収剤が含まれ、かつ樹脂Ｂからなる層が染料又は顔料を含んでなる層と隣接していないことを特徴とする請求項１〜１１のいずれかに記載の光学フィルター。
【請求項１３】
ベンゾオキサジノン系化合物、ベンゼンジチオール系金属錯体化合物、およびポルフィラジン系金属錯体化合物から選ばれる１種以上の化合物を含有する請求項１〜１２のいずれかに記載の光学フィルター。
【請求項１４】
下記式ｅを満たすことを特徴とする請求項１〜１３のいずれかに記載の光学フィルター。
Ｔ（６８０ｎｍ）−Ｔ（６３０ｎｍ）≧５％    式ｅ
【請求項１５】
請求項１〜１４のいずれかに記載の光学フィルターを含んでなるプラズマディスプレイ用フィルター。
【発明の詳細な説明】
【技術分野】
【０００１】
本発明は、光学フィルターに関するものである。
【背景技術】
【０００２】
プラズマディスプレイ、フィールドエミッションディスプレイ、有機エレクトロルミネッサンス、無機エレクトロルミネッサンス、ＣＲＴ、プロジェクター、スクリーン等の表示装置や、カメラ、デジタルカメラ、スキャナーなどの画像撮影装置や、ＣＣＤやＣ−ＭＯＳイメージセンサーなどの固体表示素子では、Ｒ・Ｇ・Ｂに相当する光を合成して画像を形成するため、Ｒ・Ｇ・Ｂに相当する光のみを効率よく取り出す、光学フィルターが提案されている。このような光学フィルターを用いることにより、色純度の向上、コントラスト向上、輝度の向上、消費電力の低減など様々な効果が期待できる。一方、プラズマディスプレイにおいては、発光にともなう近赤外線が、周辺リモコン機器の誤動作の原因となるため、近赤外線をカットすることが求められている。また、ＣＣＤやＣ−ＭＯＳでも、近赤外線域に感度ピークを有するシリコンフォトダイオードにより構成されているので、視感度を補正するため、近赤外線をカットする必要がある。
【０００３】
Ｒ・Ｇ・Ｂを効率よく取り出し、近赤外線をカットするフィルターとしては、銅イオンや希土類イオンを分散した樹脂シート上に無機物からなる多層膜を形成した技術がある（たとえば特許文献１参照）。しかしながら、この方法は、無機系の多層膜を用いるため、ロール上に巻いた状態で保管した場合、クラックなどが入りやすく反射性能が損なわれやすいなどの問題があるほか、一般に近赤外線をカットするために用いられる銀スパッタなどの場合には、水分により腐食が生じやすかったりする問題があった。また、無機系の多層膜は、大面積を連続的に生産することがむずかしいことや、コストが高いという問題もあった。
【０００４】
一方、屈折率の異なる樹脂層を交互に多層に積層することより、選択的に特定の近赤外線波長を反射するフィルムを用いたプラズマディスプレイ用前面板（たとえば特許文献２参照）が存在する。しかしながら、この技術では、近赤外線の特定の波長のみ、具体的には８２０ｎｍ、８８０ｎｍ、９８０ｎｍの近赤外線を反射するため、ディスプレイの面に対して垂直な方向以外では、反射波長が低波長側にシフトするために、近赤外線が透過してしまうという欠点や、フィルムを何枚も貼り合わせるために高コストになるという問題があった。
【特許文献１】特開2000-19322号公報（第２頁）
【特許文献２】特開2000-329935号公報（第２頁）
【発明の開示】
【発明が解決しようとする課題】
【０００５】
本発明の課題は、かかる問題を解決し、クラックが入りにくく、経時による劣化もほとんどなく、広い角度範囲で近赤外線の透過がなく、低コストでありながら、色純度の向上、コントラスト向上、輝度向上、消費電力の低減などの効果をもたらす、プラズマディスプレイ、フィールドエミッションディスプレイ、有機エレクトロルミネッサンス、無機エレクトロルミネッサンス、ＣＲＴ、プロジェクター、スクリーン等の表示装置や、カメラ、デジタルカメラ、スキャナーなどの画像撮影装置や、ＣＣＤやＣ−ＭＯＳイメージセンサーなどの固体表示素子などに好適な光学フィルターを提供するものである。
【課題を解決するための手段】
【０００６】
樹脂Ａからなる層（Ａ層）と樹脂Ｂからなる層（Ｂ層）を少なくとも有する積層数が３０以上の積層フィルムを含んでなり、８５０〜１０００ｎｍの近赤外線帯域の平均反射率が６０％以上であり、かつ下記式ａおよびｂを満たすことを特徴とする光学フィルター。
【０００７】
Ｔ（６３０ｎｍ）−Ｔ（５９５ｎｍ）≧２０％    式ａ
Ｔ（３７０ｎｍ）≦５％                        式ｂ
Ｔ（ｘ  ｎｍ）：ｘ  ｎｍにおける透過率
【発明の効果】
【０００８】
本発明の光学フィルターは、樹脂Ａからなる層（Ａ層）と樹脂Ｂからなる層（Ｂ層）を少なくとも有する積層数が３０以上の積層フィルムを含んでなり、８５０〜１０００ｎｍの近赤外線帯域の平均反射率が６０％以上であり、かつ下記式ａおよびｂを満たす光学フィルターであるので、クラックが入りにくく、経時による劣化もほとんどなく、広い角度範囲で近赤外線の透過が小さく、色純度の向上、コントラスト向上、輝度向上などの効果がある。
【０００９】
Ｔ（６３０ｎｍ）−Ｔ（５９５ｎｍ）≧２０％    式ａ
Ｔ（３７０ｎｍ）≦５％                        式ｂ
Ｔ（ｘ  ｎｍ）：ｘ  ｎｍにおける透過率
さらに、全光線透過率が９７％以上であり、かつヘイズが０．６％以下である積層数が３０以上の積層フィルムを含んでなる光学フィルターであると、光源や外光による反射や散乱を抑制できるものである。
【００１０】
さらに、４８０〜６３０ｎｍにおける透過率曲線において、３０ｎｍ内の透過率の最大値と最小値の差が１０％以下である積層数が３０以上の積層フィルムを含んでなる光学フィルターであると、干渉縞も抑制することができるものである。
【００１１】
さらに、積層フィルム中の光源側表層部の層厚みが、視聴側表層部の層厚みよりも薄い光学フィルターであると、反射帯域内のリップルが抑制され、近赤外線の透過がさらに低減できるようになるとともに、可視部でのリップルも抑制されるため、干渉縞も抑制することができるものである。
【００１２】
さらに、１０００〜１２００ｎｍにおける平均吸収率が５０％以上である光学フィルターであると、光学フィルターの面に対し垂直な軸から５０°以上の角度でも近赤外線が透過せず、かつ可視部での着色も最小限に抑制できるものとなる。
【００１３】
さらに、光学フィルターの面に垂直な軸に対し５０°の角度から入射した光線に対して、７００ｎｍにおける透過率が６０％以上であり、９５０ｎｍにおける透過率が４０％以下である光学フィルターであると、視角による赤外線の透過を抑制できるばかりか、着色も問題とならなくなるものである。
【００１４】
さらに、積層フィルムに対し染料又は顔料を含む層が隣接し、  樹脂Ｂが他の共重合成分を１７ｍｏｌ％以上含んでなる共重合ポリエステルであり、樹脂Ｂからなる層のいずれかに紫外線吸収剤が含まれ、かつ樹脂Ｂからなる層が染料又は顔料を含んでなる層と隣接していない光学フィルターであると、光による経時劣化が抑制されるものである。
【発明を実施するための最良の形態】
【００１５】
上記目的を達成するため本発明の光学フィルターは、樹脂Ａからなる層（Ａ層）と樹脂Ｂからなる層（Ｂ層）を少なくとも有する積層数が３０以上の積層フィルムを含んでなり、波長８５０〜１０００ｎｍの近赤外線帯域の平均反射率が６０％以上であり、かつ下記式ａおよびｂを満たさなければならない。
【００１６】
Ｔ（６３０ｎｍ）−Ｔ（５９５ｎｍ）≧２０％    式ａ
Ｔ（３７０ｎｍ）≦５％                        式ｂ
ここでＴ（ｘ  ｎｍ）：波長ｘ  ｎｍにおける透過率。
【００１７】
このような場合、樹脂からなる多層膜によって、近赤外線を広帯域にわたって連続的に反射するものであるため、ロール状で保管したり、折り曲げたりしてもクラックが入りにくいために、反射特性が低下することがないほか、湿度等により経時変化することもなく、かつ広い角度範囲で近赤外線の透過がなくなるものである。また、現在プラズマディスプレイの近赤外線カット方法として主流となっている染料による近赤外線吸収に比較して、本発明の近赤外線を反射するフィルムを用いる方法は、可視部での着色がほとんどないため、光学フィルターとして式ａを満たすことにより、色純度低減の原因となるネオン光をカットしながら、Ｒ・Ｇ・Ｂを効率よく取り出すことが可能となるため、光学フィルターとして装着すると、色純度の向上、コントラスト向上、輝度向上、消費電力の低減などの効果が得られる。さらに、式ｂをみたすことにより、耐光性が向上し、フィルターの色に関わる経時変化を抑制することができるものである。
【００１８】
ここで、下記式ｃ〜ｄのいずれかを満たすことが、より好ましい。このようにすると、光学系にとって不要な光はカットしながら、さらにＲ・Ｇ・Ｂをより効率よく取り出すことができるため、さらに色純度向上、コントラスト向上、輝度向上、消費電力低減の効果が高くなり、より好ましいものとなる。
【００１９】
Ｔ（５４５ｎｍ）−Ｔ（５００ｎｍ）≧１０％    式ｃ
Ｔ（４５０ｎｍ）−Ｔ（５００ｎｍ）≧１０％    式ｄ
また、下記式ｅを満たすと、さらに好ましい。下記式ｅを満たすと、輝度やコントラストを低減させることなく、色純度を向上させることができたり、光学フィルターの色調を調整してより黒らしい黒に見えるフィルターとなるからである。
【００２０】
Ｔ（６８０ｎｍ）−Ｔ（６３０ｎｍ）≧５％    式ｅ
また、下記式ｆを満たすと、さらに好ましい。下記式ｆを満たすと、耐光性がさらに向上し、フィルターの色に関わる経時変化を大幅に抑制することができるものである。
【００２１】
Ｔ（３７０ｎｍ）≦２％                        式ｆ
本発明の光学フィルターでは、樹脂Ａからなる層（Ａ層）と樹脂Ｂからなる層（Ｂ層）を少なくとも有する積層数が３０以上の積層フィルムを含んでいなければならないが、より好ましくはＡ層とＢ層が交互に積層され、積層数が２００以上である積層フィルムを含んでなると良い。さらに好ましくは、Ａ層とＢ層が交互に積層され、積層数が７００以上である積層フィルムを含んでなると良い。上限値については特に制約するものではないが、積層装置の大型化、フィルム厚みの厚膜化、コストアップの問題から、３０００層以下であることが好ましい。
【００２２】
ここで、樹脂Ａからなる層（Ａ層）と樹脂Ｂからなる層（Ｂ層）を交互に積層するとは、Ａ層とＢ層を厚み方向に規則的に積層した構造を有している部分が存在することと定義される。すなわち、本発明のフィルム中のＡ層とＢ層の厚み方向における配置の序列がランダムな状態ではないことが好ましく、Ａ層とＢ層以外の第３の層以上についてはその配置の序列については特に限定されるものではない。また、Ａ層、Ｂ層、樹脂ＣのからなるＣ層を有する場合には、Ａ（ＢＣＡ）ｎ、Ａ（ＢＣＢＡ）ｎ、Ａ（ＢＡＢＣＢＡ）ｎなどの規則的順列で積層されることがより好ましい。ここでｎは繰り返しの単位数であり、例えばＡ（ＢＣＡ）ｎにおいてｎ＝３の場合、厚み方向にＡＢＣＡＢＣＡＢＣＡの順列で積層されているものを表す。
【００２３】
本発明においてＡ層およびＢ層に使用される樹脂としては、積層フィルムへの製造の容易さから熱可塑性樹脂が好ましく使用される。
【００２４】
本発明における樹脂としては、たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを用いることができる。この中で、強度・耐熱性・透明性の観点から、特にポリエステルであることがより好ましい。またこれらの樹脂としてはホモ樹脂であってもよく、共重合または２種類以上のブレンドであってもよい。また、各層において各樹脂以外に、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２５】
本発明における樹脂としては、たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを用いることができる。この中で、強度・耐熱性・透明性の観点から、特にポリエステルであることがより好ましい。またこれらの樹脂としてはホモ樹脂であってもよく、共重合または２種類以上のブレンドであってもよい。また、各樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２６】
本発明の積層フィルムを構成する樹脂としては、ポリエステルであることがより好ましい。本発明で言うポリエステルとしては、ジカルボン酸成分骨格とジオール成分骨格との重縮合体であるホモポリエステルや共重合ポリエステルのことをいう。ここで、ホモポリエステルとしては、例えばポリエチレンテレフタレート、ポリプロピレンテレフタレート、ポリブチレンテレフタレート、ポリエチレン−２，６−ナフタレート、ポリ−１，４−シクロヘキサンジメチレンテレフタレート、ポリエチレンジフェニルレートなどが代表的なものである。特にポリエチレンテレフタレートは、安価であるため、非常に多岐にわたる用途に用いることができ好ましい。
【００２７】
また、本発明における共重合ポリエステルとは、ジカルボン酸成分骨格とジオール成分骨格を必須成分とし、次にあげるジカルボン酸成分骨格とジオール成分骨格とより選ばれる少なくとも３つ以上の成分を有する重縮合体のことと定義される。ジカルボン酸骨格成分としては、テレフタル酸、イソフタル酸、フタル酸、１，４−ナフタレンジカルボン酸、１，５−ナフタレンジカルボン酸、２，６−ナフタレンジカルボン酸、４，４’−ジフェニルジカルボン酸、４，４’−ジフェニルスルホンジカルボン酸、アジピン酸、セバシン酸、ダイマー酸、シクロヘキサンジカルボン酸とそれらのエステル誘導体などが挙げられる。グリコール骨格成分としては、エチレングリコール、１，２−プロパンジオール、１，３−ブタンジオール、１，４−ブタンジオール、１，５−ペンタジオール、ジエチレングリコール、ポリアルキレングリコール、２，２−ビス（４’−β−ヒドロキシエトキシフェニル）プロパン、イソソルベート、１，４−シクロヘキサンジメタノールなどが挙げられる。ポリエステルは、本発明の効果を損なわない限り、他の成分由来の骨格を含むことができる。
【００２８】
特に本発明では、樹脂Ａがポリエチレンテレフタレートであり、樹脂Ｂがポリエチレンテレフタレートにシクロヘキサンジメタノールを共重合したポリエステルであることが好ましい。より好ましくは、シクロヘキサンジメタノールの共重合量がジオール成分において１５ｍｏｌ％以上６０ｍｏｌ％以下であるエチレンテレフタレート重縮合体である。このようにすることにより、高い反射性能を有しながら、特に加熱による反射特性の変化が小さくなるためである。
【００２９】
また、本発明では、樹脂Ａがポリエチレンテレフタレートであり、樹脂Ｂがアジピン酸やセバシン酸などの脂肪族ジカルボン酸あるいはそのエステル誘導体を共重合したポリエステルであることが好ましい。より好ましくは、樹脂Ｂがアジピン酸を共重合したエチレンテレフタレート重縮合体である。さらに好ましくは、アジピン酸の共重合量が１５ｍｏｌ％以上３５ｍｏｌ％以下共重合したエチレンテレフタレート重縮合体である。このような構成とすると、従来より高い反射性能が得られるために好ましいものである。
【００３０】
本発明に用いられる積層フィルムでは、Ｂ層に比較してＡ層の屈折率が高い方が好ましく、具体的にはＡ層の面内平均屈折率とＢ層の面内平均屈折率の差が、０．０３以上であることが好ましい。より好ましくは０．０５以上であり、さらに好ましくは０．１以上である。屈折率差が０．０３より小さい場合には、十分な反射率が得られず、好ましくないものである。また、Ａ層の面内平均屈折率と厚み方向の屈折率の差が０．０５以下であると、反射帯域の角度依存性が小さくなり、より好ましい。
【００３１】
本発明の光学フィルターに含まれる積層フィルムは、樹脂Ａおよび／または樹脂Ｂからなる層の厚みが、一方の表面から反対側の表面に向かうにつれ、増加または減少する層構成を有することが好ましい。樹脂Ａおよび／または樹脂Ｂからなる層の厚みが、一方の表面から反対側の表面に向かうにつれ、増加または減少する層構成を有すると、近赤外線反射帯域が広帯域化するため、近赤外線の入射角度による漏洩を抑制することが可能となる。
また、樹脂Ａおよび樹脂Ｂからなる層の厚みが、一方の表面から反対側の表面に向かうにつれ、増加または減少する層構成を有するとより好ましい。ここで、ほぼ一次関数的に層厚みが増加または減少するとさらに好ましい。このようにすると、反射帯域内でのリップルが抑制され、近赤外線の漏洩量がさらに少なくなるものである。
【００３２】
また、本発明の光学フィルターに含まれる積層フィルムでは、樹脂Ａまたは樹脂Ｂからなる層において、層厚みが２５０ｎｍ以上である層の数が８層以下であり、かつ８０ｎｍ以下である層の数が８層以下であることが好ましい。２５０ｎｍ以上である層が８層以下であると、積層性・耐熱性・機械強度・コスト等を満足する樹脂の組み合わせにおいては、近赤外線反射帯域の高次反射による着色が抑制されるものとなる。また、８０ｎｍ以下である層が８層以下であると、視野角による着色も抑制されるものである。
【００３３】
本発明の光学フィルターは、全光線透過率が９７％以上であり、かつヘイズが０．６％以下である積層数が３０以上の積層フィルムを含んでなることが好ましい。より好ましくは、全光線透過率が９８％以上であり、かつヘイズが０．４％以下である積層フィルムを含んでなる。内部ヘイズ法にて求められる全光線透過率が９７％以上であり、かつヘイズが０．６％以下である積層フィルムを含んでなると、積層構造に由来した高次反射や多重反射、リップルが可視部にほとんど認められないこととなり、光源からの光や外光を光学フィルターで反射や散乱することがなくなるため、光学フィルターとして装着した際、より高精細な画質となる。
【００３４】
また、本発明の光学フィルターでは、波長４８０〜６３０ｎｍにおける透過率曲線において、３０ｎｍ内の透過率の最大値と最小値の差が１０％以下である積層数が３０以上の積層フィルムを含んでなることが好ましい。より好ましくは、４８０〜６３０ｎｍにおける透過率曲線において、３０ｎｍ内の透過率の最大値と最小値の差が５％以下である積層数が３０以上の積層フィルムを含んでなる。ここで、４８０〜６３０ｎｍにおける透過率曲線において、３０ｎｍ内の透過率の最大値と最小値の差とは、４８０〜６３０ｎｍの範囲の透過率曲線を、３０ｎｍの範囲で５分割した際の、各範囲内それぞれでの最大値と最小値の差と定義される。このような各範囲内での最大値と最小値の差が、いずれも１０％以下である積層数が３０以上の積層フィルムを含んでなると、積層構造に由来した干渉縞が低減されるため、黒表示がより綺麗なものとなる。
【００３５】
本発明では、積層フィルム中の光源側表層部の層厚みが、視聴側表層部の層厚みよりも薄いことが好ましい。このようにすることにより、近赤外線反射帯域内のリップルが抑制され、近赤外線の透過がさらに低減できるようになるとともに、可視部でのリップルも抑制されるため、干渉縞も抑制することができるものである。また、光源からの光の散乱がより抑制できるため、より一層高精細な画質となる。
【００３６】
本発明の光学フィルターでは、８５０〜１０００ｎｍの近赤外線帯域の平均反射率が６０％以上でなければならないが、より好ましくは８５０〜１０００ｎｍの帯域内の平均反射率が８０％以上であり、かつ１３００ｎｍにおける反射率が３０％以下である。このより好ましい態様では、近赤外線の透過が大幅に抑制されるとともに、３次の反射による可視光での着色がないため、高コントラストとなるため好ましい。
【００３７】
本発明の光学フィルターでは、１０００〜１２００ｎｍにおける平均吸収率が５０％以上であることが好ましい。本発明の光学フィルターでは近赤外線を反射することを特徴とするものであるが、プラズマディスプレイの用途において問題となるリモコン誤動作を防ぐため、一般のリモコンの赤外線通信波長である８５０〜１０００ｎｍだけでなく、特殊な赤外線通信に用いられる１１００ｎｍ付近の波長をカットすることも要求されることがある。本発明の光学フィルターでは、反射により１２００ｎｍ付近までカットすることは可能であるが、広い角度範囲内で赤外線をカットすることが求められるため、高波長側については赤外線が透過してしまう問題がある。これを解決するためには、近赤外線反射帯域をより高波長側に拡大すると、高次の反射による可視光での着色が起きるため好ましくないため、少なくとも１０００〜１２００ｎｍにおける平均吸収率が５０％以上であることが好ましいものである。これにより、可視部での吸収は最小限に抑制されながら、広い角度範囲内で赤外線をカットすることが可能となるものである。
【００３８】
本発明の光学フィルターでは、光学フィルターの面に垂直な軸に対し５０°の角度から入射した光線に対して、７００ｎｍにおける透過率が６０％以上であり、９５０ｎｍにおける透過率が４０％以下であることが好ましい。このような場合、光学フィルターとして装着しても、視野角によって赤外線が透過することがないほか、着色も問題とならないため、特にプラズマディスプレイ用光学フィルターとして好適なものとなる。
【００３９】
本発明の光学フィルターは、視感反射率が４％以下、視感透過率が６０％以上であることが好ましい。視感反射率が４％以下、視感透過率が６０％以上であると、光学フィルターとして装着した際、外光の写り込みが問題とならなくなるとともに、コントラスト向上、輝度向上、消費電力低減などの効果がさらに大きくなるものである。
【００４０】
本発明の光学フィルターでは、  積層フィルムに対し染料又は顔料を含む層が隣接し、  積層フィルムを構成する樹脂Ｂが他の共重合成分を１７ｍｏｌ％以上含んでなる共重合ポリエステルであり、樹脂Ｂからなる層のいずれかにに紫外線吸収剤が含まれ、かつ樹脂Ｂからなる層が染料または顔料を含んでなる層と隣接していないことが好ましい。樹脂Ｂが共重合成分を１７ｍｏｌ％以上含んでなる共重合ポリエステルであり、樹脂Ｂからなる層に紫外線吸収剤が含まれてなると、紫外線吸収剤が大幅にブリードアウトしにくくなるとともに、樹脂Ｂからなる層がコントラストや色純度を調整するための染料および／または顔料を含んでなる層と隣接していないと、紫外線吸収剤、染料、顔料の層間移動に伴う耐光性の悪化を抑制できるため、好ましいものである。積層フィルムに対し染料又は顔料を含む層においては、染料および顔料の両方を含んでいてもよいのは当然である。
【００４１】
なお、本発明では、式ｂを達成するために紫外線を遮蔽することが必要であるが、近赤外線反射帯域の３次の反射効果を利用するとともに、紫外線吸収剤を併用することが好ましい。ここで紫外線吸収剤としては、例えばサリチル酸系化合物、ベンゾフェノン系化合物、ベンゾトリアゾール系化合物、シアノアクリレート系化合物、およびベンゾオキサジノン系化合物、環状イミノエステル系化合物などを好ましく例示することができるが、３８０ｎｍと３９０ｎｍでの紫外線遮蔽性、色調などの点及び本発明の好ましい樹脂であるポリエステルへの分散性向上の効果発現度合いの点からベンゾオキサジノン系化合物が最も好ましい。これらの化合物は１種単独であるいは２種以上一緒に併用することができる。またＨＡＬＳや酸化防止剤等の安定剤を併用することもでき、特にリン系の酸化防止剤を併用することが好ましい。
【００４２】
ここでベンゾトリアゾール系の化合物としては、例えば２−（２Ｈ−ベンゾトリアゾール−２−イル）−４，６−ビス（１−メチル−１−フェニルエチル）フェノール、２−（２Ｈ−ベンゾトリアゾール−２−イル）−４−（１，１，３，３−テトラメチルブチル）フェノール、２−（２Ｈ−ベンゾトリアゾール−２−イル）−４−メチルフェノール、２−（２Ｈ−ベンゾトリアゾール−２−イル）−４，６−ジ−ｔ−ブチルフェノール、２−（２Ｈ−ベンゾトリアゾール−２−イル）−４，６−ジ−ｔ−アミルフェノール、２−（２Ｈ−ベンゾトリアゾール−２−イル）−４−ｔ−ブチルフェノール、２−（２′−ヒドロキシ−３′−ｔ−ブチル−５′−メチルフェニル）−５−クロロベンゾトリアゾール、２−（２′−ヒドロキシ−３′，５′−ジ−ｔ−ブチルフェニル）−５−クロロベンゾトリアゾール等を例示することができる。
【００４３】
ベンゾフェノン系化合物としては、例えば２−ヒドロキシ−４−オクトキシベンゾフェノン、２−ヒドロキシ−４−メトキシベンゾフェノン、２，２′−ジヒドロキシ−４，４′−ジメトキシベンゾフェノン、２，２′，４，４′−テトラヒドロキシベンゾフェノン、２，４−ジヒドロキシベンゾフェノン、２−ヒドロキシ−４−メトキシベンゾフェノン−５−スルホン酸等をあげることができる。
【００４４】
ベンゾオキサジノン系化合物としては、例えば２−ｐ−ニトロフェニル−３，１−ベンゾオキサジン−４−オン、２−（ｐ−ベンゾイルフェニル）−３，１−ベンゾオキサジン−４−オン、２−（２−ナフチル）−３，１−ベンゾオキサジン−４−オン、２，２′−ｐ−フェニレンビス（３，１−ベンゾオキサジン−４−オン）、２，２′−（２，６−ナフチレン）ビス（３，１−ベンゾオキサジン−４−オン）等を例示することができる。
【００４５】
これらの紫外線吸収剤は、積層フィルムを構成する樹脂中に分散してもよいし、積層フィルムの表面に、コーティング層を形成し、その層中に分散していても良い。本発明では、低コスト化の観点から、積層フィルムを構成する樹脂中に分散していることが好ましいが、より好ましくは、上述のように積層フィルムを構成する樹脂Ｂ中に分散していると良い。
【００４６】
本発明の光学フィルターを構成する積層フィルムでは、最表層以外の層に、平均粒子径が２０ｎｍ以上２０μｍ以下の粒子が実質的に含まれていないことが好ましい。積層フィルム内部に平均粒子径が２０ｎｍ以上２０μｍ以下の粒子が含まれていると、透明性が低下したり、拡散反射がおきたりと好ましくない。また、積層精度のみだれの原因となり、反射性能低下を生じるおそれがあるため好ましくない。このようにすることにより、内部ヘイズ値０．６％以下となる積層フィルムを得ることが容易となる。
【００４７】
本発明の光学フィルターを構成する積層フィルムでは、積層フィルムの少なくとも片面に３μｍ以上のポリエチレンテレフタレートを主成分とする層を有することが好ましい。より好ましくは、５μｍ以上のポリエチレンテレフタレートを主成分とする層を有する。また、両面に３μｍ以上のポリエチレンテレフタレートを主成分とする層を有するとさらに好ましい。３μｍ以上のポリエチレンテレフタレートからなる層がない場合には、表面に傷が入った場合などに、反射率分布に異常が生じるため好ましくない。また、積層フィルムの表面に易接着層、ハードコート層、耐摩耗性層、反射防止層、色補正層、電磁波シールド層、紫外線吸収層、印刷層、金属層、透明導電層、ガスバリア層、粘着層などの機能性層を形成した場合に、機能性層の屈折率と積層フィルムの層構成によっては、設計外の干渉をおこすため、設計した反射帯域以外の帯域に、反射が起きたり、干渉むらとなったりするため好ましくなくなるものである。
【００４８】
さらに好ましくは、積層フィルムの少なくとも一方の最表面に、厚み３０ｎｍ以上、３００ｎｍ以下の易接着層と厚み３μｍ以上のポリエチレンテレフタレート層を有する。本発明の光学フィルターは、積層フィルムの表面に種々の機能性層と形成して用いることもできるため、積層フィルムがこれら機能性層と容易に接着することが求められる。このため、種々の材料に対し易接着性を発現する層を形成することが望まれるが、本発明のもっとも単純な積層フィルムの構成の表面に易接着層を設けると、干渉むらが発生するため好ましくない。そこで本発明では、干渉むらを極力抑制するため、積層フィルムの少なくとも片面に３μｍ以上のポリエチレンテレフタレートからなる層を形成し、さらにその表面に３０ｎｍ以上、３００ｎｍ以下の易接着層を形成することが好ましい。また、易接着層の屈折率が１．５５以上１．７０以下であるとさらに好ましい。易接着層の厚みが３０ｎｍ以上３００ｎｍ以下および／または、易接着層の屈折率が１．５５以上１．７０以下であると、干渉縞が起きにくく、また内部ヘイズ法による全光線透過率が９８％以上であり、かつヘイズが０．４％以下である積層フィルムを得ることが容易になるほか、４８０〜６３０ｎｍにおける透過率曲線において、３０ｎｍ内の透過率の最大値と最小値の差が１０％以下である積層フィルムを得ることも容易となる。
【００４９】
本発明における易接着層とは、光学フィルターを構成する積層フィルムと各種加工工程で使用される塗布剤、蒸着物質等との接着性を向上させるためや、フィルムの易滑性を向上させるために設けるものである。
【００５０】
この易接着層を構成する成分としては、ベースとなる積層フィルムに対し接着性を有するものであれば特に限定されないが、たとえばポリエステル、ポリカーボネート、エポキシ樹脂、アルキッド樹脂、アクリル樹脂、尿素樹脂、ウレタン樹脂などを好適に用いることができる。また、異なる２種以上の樹脂、例えば、ポリエステルとウレタン樹脂、ポリエステルとアクリル樹脂、あるいはウレタン樹脂とアクリル樹脂等を組み合わせて用いてもよい。好ましくはポリエステル、アクリル樹脂、ウレタン樹脂であり、特に好ましくはポリエステルである。
【００５１】
本発明にかかる易接着層においては、上記した樹脂に各種の架橋剤を併用することにより、耐熱接着性を向上させると同時に、耐湿接着性を飛躍的に向上させることができる。該積層膜に用いる樹脂として、ポリエステル樹脂、ウレタン樹脂、アクリル樹脂に架橋性官能基が共重合されている場合、架橋剤を併用することがとくに好ましい。積層膜を構成する樹脂と架橋剤は任意の比率で混合して用いることができるが、架橋剤は、樹脂１００重量部に対し０．２〜２０重量部添加が常態下での接着性向上の点で好ましく、より好ましくは０．５〜１５重量部添加、とくに好ましくは１〜１０重量部添加である。架橋剤の添加量が、０．２重量部未満の場合、その添加効果が小さく、また、２０重量部を越える場合は、接着性が低下する傾向がある。
【００５２】
また、本発明における易接着層には本発明の効果が損なわれない範囲内で、各種の添加剤、例えば、酸化防止剤、耐熱安定剤、耐候安定剤、紫外線吸収剤、有機の易滑剤、顔料、染料、有機または無機の微粒子、充填剤、帯電防止剤、核剤などが配合されていてもよい。
【００５３】
本発明における易接着層に無機粒子を添加することは、易滑性や耐ブロッキング性が向上する点で、とくに好ましい。この場合、添加する無機粒子としては、シリカ、コロイダルシリカ、アルミナ、アルミナゾル、カオリン、タルク、マイカ、炭酸カルシウムなどを用いることができる。用いられる無機粒子は、平均粒径０．００５〜５μｍが好ましく、より好ましくは０．０１〜３μｍ、とくに好ましくは０．０２〜２μｍである。易接着層中の樹脂１００重量部に対する無機粒子の混合比は特に限定されないが、固形分重量比で０．０５〜１０重量部が好ましく、より好ましくは０．１〜５重量部である。このようにすることにより、内部ヘイズ値０．６％以下となる積層フィルムを得ることが容易となる。
【００５４】
また、本発明の光学フィルターでは、易接着層、易滑層、ハードコート層、帯電防止層、耐摩耗性層、反射防止層、色補正層、電磁波シールド層、紫外線吸収層、印刷層、金属層、透明導電層、ガスバリア層、ホログラム層、剥離層、粘着層、接着層などの各種機能性層のいずれかを有することが好ましい。特に、プラズマディスプレイ用の光学フィルターとして用いる場合には、易滑・易接着層、ハードコート層、帯電防止層、反射防止層、色補正層、電磁波シールド層、紫外線吸収層、赤外線吸収層を有することが好ましい。プラズマディスプレイでは、表示素子の前面に、半強化ガラスを設置し、これに光学フィルターを貼り合わせることが主流であるが、本発明の光学フィルターではこのような方法のみならず、表示素子に貼り合わせて使用してもよい。表示素子にそのまま貼り合わせると、外光の写り込みがさらに抑制することができるため、さらに高コントラストな画質となり、より好ましくなるものである。
【００５５】
ここで、本発明の光学フィルターでは、式ａを満たさなければならないが、これを達成するためには、特定波長の可視光線を吸収する染料や顔料を含んでなることが好ましい。より好ましくは、特定波長の可視光線を吸収する染料や顔料を、樹脂中に分散した層を積層フィルムの表面に形成することが好ましい。染料や顔料を分散する樹脂としては、ポリエステル樹脂、ポリカーボネート樹脂、エポキシ樹脂、アルキッド樹脂、アクリル樹脂、尿素樹脂、ウレタン樹脂などや、また異なる２種以上の樹脂、例えば、ポリエステルとウレタン樹脂、ポリエステルとアクリル樹脂、あるいはウレタン樹脂とアクリル樹脂等を組み合わせて用いた樹脂が好ましい。より好ましくはポリエステル樹脂、アクリル樹脂、ウレタン樹脂であり、特に好ましくはアクリル樹脂である。各樹脂としては、架橋したものであっても良いし、非架橋のものであっても良い。
【００５６】
また、式ａを満たすためには、染料または顔料がポルフィリン系化合物、ポルフィラジン系化合物、シアニン系化合物、フタロシアニン系化合物の少なくともいずれかを含むことが好ましく、これらが組み合わさったものでも良い。より好ましくは、ポルフィラジン系化合物からなる染料もしくは顔料を含むものであり、さらに好ましくはポリフィラジン系金属錯体化合物を含むものである。ここで金属としては、銅であることがもっとも好ましい。銅を含有するポルフィラジン系化合物は、最大吸収波長が５８０〜６００ｎｍ付近にあり、半値幅も非常に狭いため、輝度向上、コントラスト向上、色純度向上の効果が大きい。また。これらの含有量としては、０．０１ｇ／ｍ２〜０．５ｇ／ｍ２であることが好ましい。
【００５７】
また、式ｃまたは式ｄを満たすためには、染料または顔料がアントラキノン系化合物、ナフトキノン系化合物、ポリエン系化合物、ジシアノエチレン系化合物、アゾ系化合物、ペリレン系化合物、ナフタルイミド系化合物、シアニン系化合物、フタロシアニン系化合物、ベンゼンジチオール系金属錯体化合物、の少なくともいずれかを含むことが好ましく、これらが組み合わさったものでも良い。より好ましくは、ベンゼンジチオール系金属錯体化合物を含むものである。さらに好ましくは、ビス（４−モルホリノスルホニル−１，２ジチオフェノラート）銅テトラ−ｎ−ブチルアンモニウムとシアニン系化合物を含んでなることが好ましい。ここで金属としては、銅であることがもっとも好ましい。ベンゼンジチオール系金属錯体化合物を含んでなる染料を有すると、最大吸収極大波長が４８０〜５２０ｎｍ付近にあり、半値幅の狭いものとなるため、視感度の高い領域での必要以上の吸収を防ぐことができるため、従来技術では達成できなかったレベルの輝度向上、コントラスト向上、色純度向上が達成できるようになるものである。さらに、ベンゼンジチオール系金属錯体化合物を含んでなる染料を有すると、耐光性、耐熱性が大幅に改善されるものである。これらの色素の含有量としては、０．００５ｇ／ｍ２〜０．３ｇ／ｍ２であることが好ましい。
【００５８】
また、式ｅを満たすためには、ポルフィリン系化合物、ポルフィラジン系化合物、フタロシアニン系化合物、クオタリルイミド系化合物を含んでなることが好ましい。より好ましくは、クオタリルイミド系化合物である。クオタリルイミド系化合物は、プラズマディスプレイにおける発光波長における吸収が少なく、６５０〜８５０ｎｍ付近の波長を効率よく吸収できるため、輝度やコントラストの低下がなく、色純度の向上が可能となり、またフィルターの色調の調整にも有効である。さらに、耐光性、耐熱性も非常に優れているため、経時でのフィルター性能の変化がほとんどなく好ましいものである。
【００５９】
染料または顔料の光や熱に対する安定性を向上させるために、金属錯体を退色防止剤として用いても良い。さらに耐光性を改良するために、一重項酸素クエンチャーを退色防止剤として用いても良い。一重項酸素クエンチャーとしては、ニトロソ化合物、ニッケル錯体、および酸化防止剤などが例示される。
【００６０】
次に、本発明の積層フィルムの好ましい製造方法を以下に説明する。
２種類の熱可塑性樹脂ＡおよびＢをペレットなどの形態で用意する。ペレットは、必要に応じて、事前乾燥を熱風中あるいは真空下で行い、押出機に供給される。押出機内において、融点以上に加熱溶融された樹脂は、ギヤポンプ等で樹脂の押出量を均一化され、フィルタ等を介して異物や変性した樹脂などを取り除く。
【００６１】
これらの２台以上の押出機を用いて異なる流路から送り出された熱可塑性樹脂は、次に積層装置に送り込まれる。積層装置としては、マルチマニホールドダイやフィールドブロックやスタティックミキサー等を用いて多層に積層する方法を使用することができる。また、これらを任意に組み合わせても良い。これにより積層数が３０以上の積層フィルムを得ることが可能である。ここで本発明の特徴のひとつである８５０〜１０００ｎｍの近赤外線帯域の平均反射率が６０％以上であることを達成するためには、各層ごとの層厚みを個別に制御できるフィードブロックと流路形状がほぼ四角のスタティックミキサーを併用する積層装置を用いることが好ましい。ここで、各層の厚みを精度良く制御するためには、加工精度０．１ｍｍ以下の放電加工、ワイヤー放電加工にて、各層の流量を調整する微細スリットを設けたフィードブロックが好ましい。また、この際、樹脂温度の不均一性を低減するため、熱媒循環方式による加熱であることも好ましい。また、フィードブロック内の壁面抵抗を抑制するため、壁面の粗さを０．４Ｓ以下にするか、室温下における水との接触角が３０°以上であることも好ましい。また、このようなフィードブロックに併用するスタティックミキサーとしては、下記式ｇを満たすことが好ましい。
【００６２】
０．０２≦Ｑ／（Ｌ×Ａ１／２）≦０．０８      式ｇ
Ｑ：時間あたりのスタティックミキサーを通過する総吐出量（Ｋｇ／ｈ）
Ｌ：スタティックミキサー１段分の長さ（ｍｍ）
Ａ：スタティックミキサーの流路断面積（ｍｍ２）    。
【００６３】
従来の方法のフィードブロックだけを用い、８５０〜１０００ｎｍの近赤外線帯域の平均反射率を６０％以上を達成しようとすると、必要となる層数の関係から、流量を調整するスリット部で圧損が均一性が不足し流量むらが発生し積層精度が低下したり、装置が大型化すぎるために滞留部が生じ、熱劣化による異物が生じるようになったり、装置の精度や装置内の流速分布のために積層精度が不十分となり、反射性能が低いなどの問題が発生する場合がある。このような点から実際には３００層以上のフィードブロックは現実的ではなかった。そのため、さらに層数が必要な場合はスタティックミキサーを用いることが必要とされていたが、スタティックミキサーではその内部で流速の方向が幾度か変化するために、これによりスクエアーミキサー内で流速分布が発生し、積層精度が充分ではなく、近赤外線帯域の平均反射率が６０％以上を達成できなかったり、可視部に反射帯域が発生し、わずかに着色して見えたりする問題があった。そこで本発明では、上記式を満たすことにより流速分布を解消することができ、スタティックミキサーをもちいても高い積層精度を達成することができるようになり、８５０〜１０００ｎｍの近赤外線帯域の平均反射率を６０％以上でかつ、着色の原因となる領域に反射帯域が生じないように制御できるようになったものである。
【００６４】
さらに、角度がつくことにより反射帯域が低波長側へシフトすることを考慮すると、８５０〜１２００ｎｍの近赤外線帯域の平均反射率が６０％以上であることが好ましい。このようにすると、光学フィルターの面に垂直な軸に対し５０°の角度から入射した光線に対して、７００ｎｍにおける透過率が６０％以上であり、９５０ｎｍにおける透過率が４０％以下を達成することが容易になるからである。また、ＰＤＰの発光効率を向上させるためにキセノンの分圧を向上することが検討されているが、この場合、近赤外線の発生量が多くなるため、その透過量を従来以上に抑制することが必要になることを考慮すると、８５０〜１０００ｎｍの近赤外線帯域の平均反射率が８０％以上であることが好ましい。これらの反射特性を満足するためには、積層数が７００以上であることが好ましいが、上記の方法では、フィードブロックの精度とスタティックミキサーの形状を最適化しても、積層精度が不足するために、積層数を７００以上にすることは困難であった。そこで、鋭意検討の結果、このような積層数が７００以上必要な場合にも対応する積層装置として、加工精度０．０１ｍｍ以下で製作した１０以上４００以下の微細スリットを有する部材を少なくとも別個に２個以上含むフィードブロックを使用することが好ましい。
【００６５】
ここで、図１（ａ）は、フィードブロックの一部を構成する装置であって、別個に供給される樹脂Ａおよび樹脂Ｂを積層する積層装置１０の正面図であり、また図１（ｂ）は積層装置１０を構成する部品、すなわち側板１、樹脂Ａ供給部２，スリット部３，樹脂Ｂ供給部４、スリット部５，樹脂Ａ供給部６、スリット部７、樹脂Ｂ供給部８および側板９それぞれの側面図である。
【００６６】
図１の積層装置１０は、樹脂Ａ供給部２，樹脂Ｂ供給部４、樹脂Ａ供給部６および樹脂Ｂ供給部８に由来して４つの導入口１１を有する。
【００６７】
ここで、スリット部に存在する複数のスリットに導入される樹脂の種類は、樹脂Ａ供給部２および６ならびに樹脂Ｂ供給部４および８のそれぞれの液溜部１２の底面と各スリット部材における各スリットの端部との位置関係により決定される。以下その機構を説明する。
【００６８】
例としてスリット部３に注目する。図２（ａ）はスリット部３を拡大したものである。スリット３ａの形状を示すｐ−ｐ’断面が同図の（ｂ）であり、スリット３ｂの形状を示すｑ−ｑ’断面が同図の（ｃ）である。（ｂ）および（ｃ）に示すように各スリットの稜線１３はスリット部材の厚み方向に対して傾斜を有する。
【００６９】
図３では、積層装置１０の断面のうち、樹脂Ａ供給部２，スリット部３，樹脂Ｂ供給部４、スリット部５，樹脂Ａ供給部６の部分を示してある。そして、樹脂Ａ供給部２，樹脂Ｂ供給部４、樹脂Ａ供給部６それぞれにおける液溜部の底面１２ａの高さは、スリット部に存在する稜線１３の上端部１４と下端部１５との間の高さに位置する。このことにより、前記稜線１３が高い側からは液溜部１２から樹脂が導入されるが（図３中、矢印１６）、前記稜線１３が低い側からはスリットが封鎖された状態となり樹脂は導入されない。
【００７０】
図示していないが、図３で注目したスリットに隣接したスリットでは、スリットの稜線が図３とは逆の角度に配置されており、樹脂Ｂ供給部４からはスリット部３へ、樹脂Ａ供給部６からはスリット部５へ導入される。
【００７１】
かくして各スリットごとに樹脂ＡまたはＢが選択的に導入されるので、積層構造を有する樹脂の流れがスリット部３，５中に形成され、当該部材３，５の下方の流出口１７より流出する。なお図３では、図１に示したスリット部７および樹脂Ｂ供給部８を図示していないが、樹脂Ａ供給部６、スリット部７，樹脂Ｂ供給部８による樹脂の流れは、上述の樹脂Ａ供給部２、スリット部３，樹脂Ｂ供給部４の流れと同様となる。
【００７２】
また、図２（ｂ）に示す（樹脂非供給側のスリットの面積（例えば図２（ｂ）のスリット高さＳ１がとるところのスリットの面積））／（樹脂供給側のスリットの面積（例えば図２（Ｂ）のスリット高さＳ２がとるところのスリット面積））が５０％以上９５％以下であることが好ましい。この範囲であると、樹脂のもれにより樹脂Ａと樹脂Ｂの混合などがより生じにくくなる。より好ましくは、フィードブロック内の圧力損失が１ＭＰａ以上であり、さらに好ましくは樹脂供給側のスリットｓ２の長さが１００ｍｍ以上である。また、フィードブロック内部に各スリットに対応したマニホールドを有していることも好ましい。これらにより、スリット内部での流速分布が均一化するため、積層されたフィルムの幅方向の積層比率も均一化されるものであり、大面積のフィルムでも反射率の分布が小さく、均一な反射特性が得られるものである。図１に示すような積層装置を用いることにより、装置が極端に大型化することないため、熱劣化による異物が少なく、かつ本発明の特別なスクエアーミキサーを用いるよりも、積層数が非常に多い場合でもさらに高精度に積層ができるようになるために好ましいものである。
【００７３】
以上説明したとおり、図１の、各部品が連結されたフィードブロックに対し、樹脂Ａは樹脂Ａ供給部２および樹脂Ａ供給部６の導入口１１から供給され、また、樹脂Ｂは樹脂Ｂ供給部４および樹脂Ｂ供給部８の導入口１１から供給され、スリット部３、５、７の積層装置の流出口１７それぞれにおいて、樹脂Ａと樹脂Ｂとが交互に多層状となった形態となり、スリット部の下方に押し出される。
【００７４】
図４（ａ）は図１のフィードブロックの別個のスリット部３、５、７それぞれの流出口１７から下方に吐出された多層の複合流の３つをさらに合流せしめる合流装置１８の平面図である。また図４（ｂ）（ｃ）（ｄ）および（ｅ）は、それぞれＬ−Ｌ’、Ｍ−Ｍ’、 Ｎ−Ｎ’、Ｏ−Ｏ’の断面図であり溶融樹脂の流路のみを記載したものである。
【００７５】
スリット部３，５，７それぞれから供給された溶融樹脂は、Ｌ−Ｌ’の面では（ｂ）に示すようにスリット部３からの流路１９Ｌ、スリット部５からの流路２０Ｌ、スリット部７からの流路２１Ｌの流れをとる。そして、そして相互の流れの位置関係は移動し、当該流路にある各溶融樹脂はＭ−Ｍ’面に到るところでは、スリット部３からの流路１９Ｍ、スリット部５からの流路２０Ｍ、スリット部７からの流路２１Ｍの流れをとる。さらに当該流路にある各溶融樹脂はＮ−Ｎ’面にいたるところでは、スリット部３からの流路１９N、スリット部５からの流路２０N、スリット部７からの流路２１Ｎの流れをとる。そしてＯ−Ｏ’ではひとつの流路となり、当該流路では、溶融した樹脂Ａと樹脂Ｂとが交互に積層した溶融積層体として流れていく。
【００７６】
また、ここで本発明の特徴である８５０〜１０００ｎｍの近赤外線帯域の平均反射率が６０％以上であるためには、層内いずれかの領域においてＡ層とＢ層が交互に積層されている部分を含む事が重要である。また、隣接するＡ層およびＢ層の厚みについては、下記式ｈに基づいて決定されるλが８５０〜１０００ｎｍとなるような厚み範囲内であることが好ましい。ここで、各々の面内平均屈折率および層厚みについては範囲４０％以下の分布が生じていても許容できるものである。従って、本発明においては、広帯域の近赤外線を反射するために、上記範囲内でＡ層の厚みおよび／またはＢ層の厚みがフィルムの表面側から反対表面側に向かうにつれ、徐々に厚くなる部分を含んでなることが好ましく、さらに好ましくはほぼフィルム断面全体にわたって、Ａ層の厚みおよび／またはＢ層の厚みがフィルム表面側から反対表面側に向かうにつれ、徐々に厚くなるものである。
２×（ｎａ・ｄａ＋ｎｂ・ｄｂ）＝λ    式ｈ
ｎａ：Ａ層の面内平均屈折率
ｎｂ：Ｂ層の面内平均屈折率
ｄａ：Ａ層の層厚み（ｎｍ）
ｄｂ：Ｂ層の層厚み（ｎｍ）
λ：主反射波長（１次反射波長）
※なお、この式は隣接するＡ層とＢ層に関するものであるが、本発明では主反射波長λが広い帯域を有することが特徴であるため、層厚みｄａとｄｂはある範囲を有することが好ましい。ここで、ある範囲とは、例えば、λ１〜λ２の帯域を高反射率とする設計の場合、樹脂Ａと樹脂Ｂの吐出比をＡ／Ｂ＝ｘとすると、下記式によって求められるｄａ（１）〜ｄａ（２）、ｄｂ（１）〜ｄｂ（２）の範囲の厚み変化を含むことを言う。ここでは、樹脂Ａと樹脂Ｂの比重は同一と仮定しているが、実際には同一でないことが多く、その点を考慮した設計をすべきである。
ｄａ（１）＝λ１／（２×（ｎａ＋ｎａ×（１／ｘ））  ｄｂ（１）＝ｄａ（１）・ｘ
ｄａ（２）＝λ２／（２×（ｎａ＋ｎａ×（１／ｘ））  ｄｂ（２）＝ｄｂ（２）・ｘ
また、本発明の光学フィルターでは、可視部に高次の反射を有さないことが好ましいため、隣接するＡ層およびＢ層について下記式ｉを満たすことが好ましい。各々の面内平均屈折率および層厚みについては範囲４０％以下の分布が生じていても許容できるものである。
【００７７】
ｎａ・ｄａ＝ｎｂ・ｄｂ              式ｉ
本発明の特徴である８５０〜１０００ｎｍの近赤外線帯域の平均反射率が６０％以上である積層フィルムを効率よく得るためには、隣接するＡ層およびＢ層について、式ｉを満たしつつ、積層フィルムの片面から反対面にむかうにつれ、Ａ層およびＢ層の厚みが式ｈのλが８５０ｎｍをほぼ満たす厚みから、λが１０００ｎｍをほぼ満たす厚みへ、かならずしも連続的である必要はないが徐々に厚くなる部分を含んでなることが好ましい。こうすることにより、ヘイズ法にて求められる全光線透過率が９７％以上であり、かつヘイズが０．６％以下である積層フィルムを得ることが容易となる。
【００７８】
このように層厚みを変化する方法としては、フィードブロックのスリット間隙もしくはスリット長を層厚みに対応するように変化させる方法が有効である。また、スタティックミキサーを用いる場合には、従来のように、ほぼ２つ以上の流路が合流した後、２つ以上に流路を再分配する際に等分配とはせず、層厚みの変化に応じて分配することが好ましい。
【００７９】
また、本発明では、ある断面内での隣接するＡ層とＢ層の厚み比の分布範囲が、５％以上４０％以下になるように、積層装置において各層の厚みを調整することが好ましい。より好ましくは、１０％以上３０％以下である。厚み比の分布が５％より小さいと、層の繰り返し周期性が高すぎるために、高次の反射が非常に発生しやすくなるため好ましくない。また、４０％より大きくなると、積層精度が低すぎるために所望する反射帯域の反射率が低くなるばかりか、予想外の波長帯域に反射帯域が出現するため好ましくない。
【００８０】
さて、上述の積層装置を用いて形成される溶融積層体は、さらに別のフィードブロックかマルチマニホールドダイを用いて、少なくとも片面に、高屈折率側の樹脂の層を形成することが好ましい。より好ましくは、両面に高屈折率側の樹脂の層を形成する。こうすることにより、積層フィルムの最表面に３μｍ以上の樹脂を形成することが容易となり、干渉縞低減などの効果が得られるものである。すなわち、内部ヘイズ法による全光線透過率が９８％以上であり、かつヘイズが０．４％以下である積層フィルムを得ることが容易になるほか、４８０〜６３０ｎｍにおける透過率曲線において、３０ｎｍ内の透過率の最大値と最小値の差が１０％以下である積層フィルムを得ることも容易となる。ここで別個のフィードブロックやマルチマニホールドダイを用いずに積層フィルムの最表面に３μｍ以上の樹脂Ａを形成しようとすると、流量が極端に異なる流れが合流する部分を生じるため、積層乱れが問題であったが、これを解決できたものである。このようにして得られた溶融積層体は、次にダイにて目的の形状に成形された後、吐出される。ここで、シート状に成型するダイとしては、ダイ内での幅方向の積層体の拡幅率が１倍以上１００倍以下であることが好ましい。より好ましくは、１倍以上５０倍以下である。ダイ内での積層体の拡幅率が１００倍より大きいと、積層体表層部の積層厚みの乱れが大きくなるため好ましくない。ダイ内での積層体の拡幅率が１倍以上１００倍以下であることにより、積層フィルムの幅方向における反射率の差を±１０％以内にすることが容易となる。
【００８１】
そして、ダイから吐出された多層に積層されたシートは、キャスティングドラム等の冷却体上に押し出され、冷却固化され、キャスティングフィルムが得られる。この際、ワイヤー状、テープ状、針状あるいはナイフ状等の電極を用いて、静電気力によりキャスティングドラム等の冷却体に密着させ急冷固化させる方法や、スリット状、スポット状、面状の装置からエアーを吹き出してキャスティングドラム等の冷却体に密着させ急冷固化させる方法、ニップロールにて冷却体に密着させ急冷固化させる方法を用いることが好ましい。
【００８２】
このようにして得られたキャスティングフィルムは、必要に応じて二軸延伸することが好ましい。二軸延伸とは、長手方向および幅方向に延伸することをいう。延伸は、逐次二軸延伸しても良いし、同時に二方向に延伸してもよい。また、さらに長手および／または幅方向に再延伸を行ってもよい。特に本発明では、面内の配向差を抑制できる点や、表面傷を抑制する観点から、同時二軸延伸を用いることが好ましい。
【００８３】
逐次二軸延伸の場合についてまず説明する。ここで、長手方向への延伸とは、フィルムに長手方向の分子配向を与えるための延伸を言い、通常は、ロールの周速差により施され、この延伸は１段階で行ってもよく、また、複数本のロール対を使用して多段階に行っても良い。延伸の倍率としては樹脂の種類により異なるが、通常、２〜１５倍が好ましく、積層フィルムを構成する樹脂のいずれかにポリエチレンテレフタレートを用いた場合には、２〜７倍が特に好ましく用いられる。また、延伸温度としては積層フィルムを構成する樹脂のガラス転移温度〜ガラス転移温度＋１００℃が好ましい。
【００８４】
このようにして得られた一軸延伸されたフィルムに、必要に応じてコロナ処理やフレーム処理、プラズマ処理などの表面処理を施した後、易滑性、易接着性、帯電防止性などの機能をインラインコーティングにより付与してもよい。インラインコーティングの方法としては、特に限定されないが、例えば、リバースコート法、グラビアコート法、ロッドコート法、バーコート法、マイヤーバーコート法、ダイコート法、スプレーコート法などを用いることができる。
【００８５】
また、幅方向の延伸とは、フィルムに幅方向の配向を与えるための延伸を言い、通常は、テンターを用いて、フィルムの両端をクリップで把持しながら搬送して、幅方向に延伸する。延伸の倍率としては樹脂の種類により異なるが、通常、２〜１５倍が好ましく、積層フィルムを構成する樹脂のいずれかにポリエチレンテレフタレートを用いた場合には、２〜７倍が特に好ましく用いられる。また、延伸温度としては積層フィルムを構成する樹脂のガラス転移温度〜ガラス転移温度＋１２０℃が好ましい。
【００８６】
こうして二軸延伸されたフィルムは、平面性、寸法安定性を付与するために、テンター内で延伸温度以上融点以下の熱処理を行うのが好ましい。このようにして熱処理された後、均一に徐冷後、室温まで冷やして巻き取られる。また、必要に応じて、熱処理から徐冷の際に弛緩処理などを併用してもよい。
【００８７】
同時二軸延伸の場合について次に説明する。同時二軸延伸の場合には、得られたキャストフィルムに、必要に応じてコロナ処理やフレーム処理、プラズマ処理などの表面処理を施した後、易滑性、易接着性、帯電防止性などの機能をインラインコーティングにより付与してもよい。
【００８８】
次に、キャストフィルムを、同時二軸テンターへ導き、フィルムの両端をクリップで把持しながら搬送して、長手方向と幅方向に同時および／または段階的に延伸する。同時二軸延伸機としては、パンタグラフ方式、スクリュー方式、駆動モーター方式、リニアモーター方式があるが、任意に延伸倍率を変更可能であり、任意の場所で弛緩処理を行うことができる駆動モーター方式もしくはリニアモーター方式が好ましい。延伸の倍率としては樹脂の種類により異なるが、通常、面積倍率として６〜５０倍が好ましく、積層フィルムを構成する樹脂のいずれかにポリエチレンテレフタレートを用いた場合には、面積倍率として８〜３０倍が特に好ましく用いられる。特に同時二軸延伸の場合には、面内の配向差を抑制するために、長手方向と幅方向の延伸倍率を同一とするとともに、延伸速度もほぼ等しくなるようにすることが好ましい。また、延伸温度としては積層フィルムを構成する樹脂のガラス転移温度〜ガラス転移温度＋１２０℃が好ましい。
【００８９】
こうして二軸延伸されたフィルムは、平面性、寸法安定性を付与するために、引き続きテンター内で延伸温度以上融点以下の熱処理を行うのが好ましい。この熱処理の際に、幅方向での主配向軸の分布を抑制するため、熱処理ゾーンに入る直前および／あるいは直後に瞬時に長手方向に弛緩処理することが好ましい。このようにして熱処理された後、均一に徐冷後、室温まで冷やして巻き取られる。また、必要に応じて、熱処理から徐冷の際に長手方向および／あるいは幅方向に弛緩処理を行っても良い。熱処理ゾーンに入る直前および／あるいは直後に瞬時に長手方向に弛緩処理すると、フィルム幅方向の反射率の差を±１０％以下にできるため好ましい。
【００９０】
本発明の積層フィルムにおける好ましい態様である幅２０μｍ以上の傷の数を２０個／ｍ２以下とするためには、フィルムが接触する加熱ロールをエキシマＵＶランプで照射し、オリゴマー汚れを低減するとともに、積層フィルムの少なくとも片面に３μｍ以上のポリエチレンテレフタレートを主成分とする層を形成することが好ましい。これは、樹脂Ｂに含まれるオリゴマーの析出を防止し、ロール汚れによる傷の発生を低減する効果と、干渉反射層まで傷が入り込まないようにする効果がある。また、本発明のより好ましい態様である１５個／ｍ２以下とするには、縦延伸ロールの表面粗さを０．２Ｓ以上０．８Ｓ以下にすることが好ましい。また、本発明のさらに好ましい態様である１０個／ｍ２以下とするためには、積層フィルムの少なくとも片面に３μｍ以上のポリエチレンテレフタレートを主成分とする層を形成するとともに、最外層に平均粒径２０ｎｍ以上５μｍ以下の粒子を含有させ、同時二軸延伸することが好ましい。
【００９１】
本発明では、このようにして得られた積層フィルムに、特定波長の可視光線を吸収する染料や顔料、また１０００〜１２００ｎｍにおける平均吸収率を５０％以上とする近赤外線吸収染料や顔料を含有する層を、積層フィルムの少なくとも片面に形成することが好ましい。積層フィルムの少なくとも片面に染料や顔料を含有する層を形成する方法としては、透明粘着材に含有させる方法、積層フィルムに塗布する方法等が挙げられる。
【００９２】
透明粘着材に含有させる方法で用いられる粘着材を具体的に例示すると、アクリル系粘着材、シリコン系粘着材，ウレタン系粘着材、ポリビニルブチラール粘着材（ＰＶＢ）、エチレンー酢酸ビニル系粘着材（ＥＶＡ）等、ポリビニルエーテル、飽和無定形ポリエステル、メラミン樹脂等のシート状または液状の粘着材等である。
【００９３】
積層フィルムに塗布する方法としては、染料や顔料をバインダー樹脂及び有機系溶媒に溶解または分散させて塗料にする方法、未着色のアクリルエマルジョン塗料に染料または顔料を微粉砕したものを分散させてアクリルエマルジョン系水性塗料にする方法、等がある。
【００９４】
前者の方法では、通常、脂肪族エステル系樹脂、アクリル系樹脂、メラミン系樹脂、ウレタン系樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＢ、ＥＶＡ等）或いはそれらの共重合樹脂をバインダー樹脂として用いる。溶媒としては、ハロゲン系、アルコール系、ケトン系、エステル系、脂肪族炭化水素系、芳香族炭化水素系、エーテル系溶媒、或いはそれらの混合物系等を用いる。
【００９５】
後者のアクリルエマルジョン系水系塗料の場合も、前記と同様に、未着色のアクリルエマルジョン塗料に染料や顔料を微粉砕したものを分散させて得られる。塗料中には、酸化防止剤等の通常塗料に用いるような添加物を加えても良い。
【００９６】
上記の方法で作製した塗料は、積層フィルムの表面にバーコーダー、ブレードコーター、スピンコーター、リバースコーター、ダイコーター、或いはスプレー等の技術を用いて塗膜を形成し、溶媒や水を乾燥により除去する。また、必要に応じて架橋剤を添加した場合は、熱架橋、紫外線架橋、電子線架橋などにより架橋しても良いが、本発明では熱架橋であることがより好ましい。
【実施例】
【００９７】
本発明に使用した物性値の評価法を記載する。
（物性値の評価法）
（１）積層数、積層比、積層厚み
フィルムの層構成は、ミクロトームを用いて断面を切り出したサンプルについて、電子顕微鏡観察により求めた。すなわち、透過型電子顕微鏡ＨＵ−１２型（（株）日立製作所製）を用い、フィルムの断面を３０００〜４００００倍に拡大観察し、断面写真を撮影、層構成および各層厚みを測定した。本発明の実施例では十分なコントラストが得られたため実施しなかったが、用いる樹脂の組み合わせによっては公知の染色技術を用いてコントラストを高めても良い。
【００９８】
（２）反射率、平均反射率
日立製作所製  分光光度計（Ｕ−３４１０  Ｓｐｅｃｔｒｏｐｈｏｔｏｍａｔｅｒ）にφ６０積分球１３０−０６３２（（株）日立製作所）および１０°傾斜スペーサーを取り付け反射率を測定した。なお、サンプルは長手方向が上下方向になるようにセットし、バンドパラメーターは２／ｓｅｒｖｏとし、ゲインは３と設定し、１８７ｎｍ〜２６００ｎｍの範囲を１２０ｎｍ／ｍｉｎ．の検出速度で測定した。また、反射率を基準化するため、標準反射板として付属のＡｌ２Ｏ３を用いた。なお、平均反射率は、ある波長範囲内の各波長における反射率を平均化して算出した。
【００９９】
（３）透過率、透過率範囲、入射角５０°に対する透過率、平均近赤外線透過率
日立製作所製  分光光度計（Ｕ−３４１０  Ｓｐｅｃｔｒｏｐｈｏｔｏｍａｔｅｒ）に平行光線セルを取り付け透過率を測定した。この平行光線セルは、ｓａｍｐｌｅ光とｒｅｆｆｒｅｎｃｅ光の透過量の差から透過率を求めるためのものであり、フィルム平面に垂直な軸に対して６０°までの角度の入射光について透過率を測定できるように改造したものである。なお、サンプルは長手方向が上下方向になるようにセットし、バンドパラメーターは２／ｓｅｒｖｏとし、ゲインは３と設定し、１８７ｎｍ〜２６００ｎｍの範囲を１２０ｎｍ／ｍｉｎ．の検出速度で測定した。
【０１００】
ここで、透過率範囲は、ある波長範囲内の最大透過率と最小透過率の差とした。
【０１０１】
また、入射角５０°に対するある波長における透過率は、フィルム長手方向を回転軸とし、フィルム表面と垂直な軸と入射光のなす角が５０°になるよう平行光線セルの角度を調整し、測定した。
【０１０２】
また、平均近赤外線透過率は、８５０〜１０００ｎｍの範囲の各波長の透過率を平均して算出した。
【０１０３】
（４）耐光性
スガ試験機製フェードメーター  Ｕ４８ＡＵ（光源：紫外線カーボンアークランプ、強度５００Ｗ／ｍ２）を用い、温度６３℃±３℃、湿度５０±１０％ＲＨの環境下で、実施例または比較例で作成した光学フィルターを４８時間曝露した。曝露前後での、４００ｎｍ〜１３００ｎｍにおける各波長での透過率の変化が５％以下である場合は○、５％〜１０％の変化があった場合を△、１０％より大きい変化があった場合を×とした。
【０１０４】
（５）輝度、コントラスト
Ｐａｎａｓｏｎｉｃ製  プラズマディスプレイ  ＴＨ−４２ＰＸ２０の前面フィルターを取り外し、この前面フィルターの代わりに実施例または比較例で作成した光学フィルターを貼り合わせた厚み５ｍｍのガラスを組み込んで、輝度及びコントラストの評価を行った。この際、光学フィルターの非粘着層面側が視聴側になるようガラスを組み込んだ。
【０１０５】
輝度およびコントラストの評価方法としては、プラズマディスプレイとパソコンを接続し、パソコンから各色をプラズマディスプレイの全面に表示させ、その各色における光学フィルターを介した輝度を、ＭＩＮＯＬＴＡ分光放射輝度計ＳＣ−１０００（測定範囲  直径約２ｃｍ）にて測定した。
【０１０６】
表示した色はＲＧＢカラー（２４ｂｉｔカラー）表示で、赤が（Ｒ２５５  Ｇ０  Ｂ０）、緑が（Ｒ０  Ｇ２５５  Ｂ０）、青が（Ｒ０  Ｇ０  Ｂ２５５）、白が（Ｒ２５５、Ｇ２５５、Ｇ２５５）、黒が（Ｒ０  Ｇ０  Ｂ０）とした
なお、室内の照明を消灯し、室外から光が入らない状態で輝度測定を行い、また、プラズマディスプレイの設定を、光学フィルターをつけない状態（厚み５ｍｍのガラスのみ装着）で、以下のようになるように調整した。
＜光学フィルターなし状態での輝度＞
赤  ：  ９１±３ｃｄ／ｍ２
緑  ：  １８７±３ｃｄ／ｍ２
青  ：  ３２±３ｃｄ／ｍ２
白  ：  １３０±３ｃｄ／ｍ２
黒  ：  ０．４±０．０５ｃｄ／ｍ２
また、コントラストは、白と黒の輝度の比で表した。
【０１０７】
（６）固有粘度
オルトクロロフェノール中、２５℃で測定した溶液粘度から、算出した。また、溶液粘度はオストワルド粘度計を用いて測定した。単位は［ｄｌ／ｇ］で示した。なお、ｎ数は３とし、その平均値を採用した。
【０１０８】
（７）ヘイズ、全光線透過率
スガ試験機製  ＨＧＭ−２ＤＰを用いて、ＪＩＳ  Ｋ７１０５（１９８１）に基づいて、全光線透過率、ヘイズ（内部）を測定した。サンプルは、1,2,3,4テトラヒドロナフタレンテトラリン中につけ、非光源側に粘着面がくるようにセッティングした。
【０１０９】
（実施例１）
１．易接着層付き積層フィルムの作成方法
２種類の樹脂として、樹脂Ａと樹脂Ｂを準備した。樹脂Ａとして、固有粘度０．６５のポリエチレンテレフタレート（ＰＥＴ）［東レ製Ｆ２０Ｓ］を用いた。また樹脂Ｂとしてシクロヘキサンジメタノールをエチレングリコールに対し３０ｍｏｌ％共重合したポリエチレンテレフタレート（ＣＨＤＭ共重合ＰＥＴ）［イーストマン製  ＰＥＴＧ６７６３］を用いた。また、紫外線吸収剤Ａとして２，２’−（１，４−フェニレン）ビス  （４Ｈ−３，１−ベンズオキサジン−４−オン）を用意し、これと樹脂Ａをベント付き２軸押出機にて紫外線吸収剤Ａが１２重量％となる様にコンパウンド樹脂を用意した。これら樹脂Ａとコンパウンド樹脂を紫外線吸収剤Ａが樹脂Ａに対して１ｗｔ％になるように調整し、１５０℃の温度で６時間乾燥した後、一軸押出機に供給した。また、樹脂Ｂについては、乾燥窒素雰囲気下で一昼夜、８０℃の温度で乾燥した後、ベント付き２軸押出機に供給した。
【０１１０】
それぞれ、押出機にて２８０℃の溶融状態とし、ギヤポンプおよびフィルタを介した後、８０１層（２０１個のスリットの部材を４個重ねた構造、流路面粗さ０．３Ｓ、水との接触角４５°、加工精度０．０１ｍｍ）のフィードブロックにて合流させた。合流した樹脂ＡおよびＢは、フィードブロック内にて各層の厚みが表面側から反対表面側に向かうにつれ徐々に厚くなるように変化させ（スロープ型）、樹脂Ａが４０１層、樹脂Ｂが４００層からなる厚み方向に交互に積層された構造とした。各層の厚みの調整は、フィードブロック内の各層の流路に設けた微細スリットの形状により、延伸後のフィルムにおいて表１に示すような層厚み変化になるように調整した。なお、両表層部分は樹脂Ａとなるようにした。ここで樹脂Ａと樹脂Ｂとの吐出重量比（Ａ／Ｂ）は、０．９１になるように、フィードブロックの形状および吐出量にて調整した。このようにして得られた計８０１層からなる積層体を、マルチマニホールドダイに供給、さらにその表層に別の押出機から供給した樹脂Ａかならる層を形成し、シート状に成形した後、静電印加にて表面温度２５℃に保たれたキャスティングドラム上で急冷固化した。
【０１１１】
得られたキャストフィルムを、７５℃に設定したロール群で加熱し、延伸区間長１００ｍｍの間で、フィルム両面からラジエーションヒーターにより急速加熱し、フィルム温度が９０℃の状態で、縦方向に３．４倍延伸した。その後、この一軸延伸フィルムの両面に空気中でコロナ放電処理を施し、基材フィルムの濡れ張力を５５ｍＮ／ｍとし、その処理面に、易滑剤（粒径０．１μｍのコロイダルシリカ固形分比０．４重量部）を含む水分散性ポリエステル系樹脂（濃度３．０重量％）を＃４のメタバーにて両面に塗布し、透明・易滑・易接着層を形成した。
【０１１２】
この一軸延伸フィルムをテンターに導き、１００℃の熱風で予熱後、横方向に４．０倍延伸した。延伸したフィルムは、そのまま、テンター内で２３０℃の熱風にて熱処理を行い、続いて同温度にて幅方向に７％の弛緩処理を施し、その後、室温まで徐冷後、巻き取った。得られたフィルムの厚みは、１２８μｍであった。また、隣接する層の厚み比（Ａ／Ｂ）は、平均すると約０．９５であった。ここで、隣接する層の厚み比は、隣接する樹脂Ａと樹脂Ｂの対を、無作為に２０点抽出し、その厚み比（樹脂Ａ層厚み／樹脂Ｂ層厚み）を平均化したものである。なお、厚みの計算に用いる対の選択においては、あらかじめ決定しておいた表面に、近い側を樹脂Ａ層とし、隣接する樹脂Ｂ層のうち遠い側を選んだ。また、得られた積層フィルムでは、両最表層の樹脂Ａ層をのぞけば、樹脂Ａ層は一方の表面から他方の表面に向かうにつれ、１２４ｎｍから１８０ｎｍまでほぼ一次関数的に増加した。また、樹脂Ｂ層は、一方の表面から他方の表面に向かうにつれ、１３１ｎｍから１９０ｎｍにほぼ一次関数的に増加した。なお、最表層の樹脂Ａ層の厚みは５μｍであったが、これはフィーロブロックにて８０１層の溶融積層体を得た後、マルチマニホールドダイにてさらに樹脂Ａからなる層を合流せしめたためである。得られた結果を表１に示す。
【０１１３】
２．光学フィルターの作成方法
光学フィルターの色補正層に含有する染料として以下のものを準備した。
【０１１４】
染料Ａ  ：  フタロシアニン系化合物染料  山田化学工業製  ＴＲＰＣ−２２
染料Ｂ  ：  ポリフィラジン系化合物染料  山田化学工業製  ＴＡＰ−２
染料Ｃ  ：  ベンゼンジチオール系金属錯体化合物含有染料  住友精化製  ＳＤ５Ｃｕ−ＫＮＣＯ２
これらを、アクリルコーティング剤である日本触媒製のハルスハイブリッドＩＲ−Ｇ２０５に配合した。また、これらの配合量はアクリルコーティング剤の固形分に対し表１の割合になるようにし、さらにメチルエチルケトンで固形分が２０％となるように希釈した。その後、得られた積層フィルムに乾燥膜厚が１０μｍとなるようにバーコーターで塗布し、１２０℃で３分間乾燥させた。
【０１１５】
さらに、アクリル系粘着剤である綜研化学製ＳＫダイン１４３５をメチルエチルケトンで固形分が５０％になるように希釈したのち、色補正層の上に乾燥後の粘着剤膜圧が２５μｍになるようにアプリケーターで塗布し、１２０℃で３分間乾燥させた。
【０１１６】
得られた光学フィルターの結果を表１に示す。近赤外線透過率、耐光性、輝度、コントラストともに満足すべきものであった。また、光学フィルターの色目としては着色はなく、かつ、視野角５０°（画面に対して垂直な方向となす角）においても着色は見られなかった。
【０１１７】
（実施例２）
実施例１において、積層フィルムの積層数を４０１層とした以外は、実施例１と同様の条件とした。多層積層装置としては、２０１個のスリットを有するフィードブロック（流路面粗さ０．３Ｓ、加工精度０．０１ｍｍ）と、式ｇが０．０６となるスタティックミキサー（角形流路）を用い、層厚みの調整はスリットの形状とスタティックミキサーでの分配度合いにて調整した。得られたフィルムの厚みは７３μｍであった。
【０１１８】
また、色補正層および粘着層は実施例１と同様に形成した。得られた結果を表１に示す。近赤外線透過率がやや高かったものの、耐光性、輝度、コントラストについては満足すべきものであった。また、光学フィルターの色目としては着色はなく、かつ、視野角５０°（画面に対して垂直な方向となす角）においても着色は見られなかった。
【０１１９】
（実施例３）
実施例２において、Ａ層およびＢ層の層厚みを表１のように変更した以外は、実施例２と同様の条件とした。多層積層装置としては、積層装置としては、２０１個のスリットを有するフィードブロック（流路面粗さ０．３Ｓ、加工精度０．０１ｍｍ）と、式ｇが０．０６となるスタティックミキサー（角形流路）を用い、層厚みの調整はスリットの形状とスタティックミキサーでの分配度合いにて調整した。得られた積層フィルムの厚みは６６μｍであった。また、色補正層および粘着層は実施例１と同様に形成した。得られた結果を表１に示す。近赤外線透過率、耐光性、輝度、コントラストともに満足すべきものであった。しかしながら、角度によっては近赤外線が一部透過する場合があった。また、光学フィルターの色目としては着色はなく、かつ、視野角５０°（画面に対して垂直な方向となす角）においても着色は見られなかった。
【０１２０】
（実施例４）
実施例１において、紫外線吸収剤Ａを紫外線吸収剤Ｂに変更した以外は、実施例１と同様の条件とした。なお、紫外線吸収剤Ｂはシアノアクリレート系化合物であるＢＡＳＦ製  Ｕｖｉｎｕｌ３０３０を用いた。また、色補正層および粘着層は実施例１と同様に形成した。得られた結果を表１に示す。近赤外線透過率、輝度、コントラストともに満足すべきものであった。耐光性については、若干不足気味であった。また、光学フィルターの色目としては着色はなく、かつ、視野角５０°（画面に対して垂直な方向となす角）においても着色は見られなかった。
【０１２１】
（実施例５）
実施例１において、色補正層の染料の量を表１のように変更した以外は、実施例１と同様の条件とした。得られた結果を表１に示す。近赤外線透過率、耐光性、輝度、コントラストともに満足すべきものであった。また、色純度については、全実施例および全比較例のなかで、実施例１４についで良いものであった。得られた光学フィルターの分光透過率を図５に示す。また、光学フィルターの色目としては着色はなく、かつ、視野角５０°（画面に対して垂直な方向となす角）においても着色は見られなかった。
【０１２２】
（実施例６）
実施例１において、Ａ層およびＢ層の層厚みを表１のように変更した以外は、実施例１と同様の条件とした。多層積層装置としては、８０１層（２０１個のスリットを有するフィードブロックを４個重ねた構造、流路面粗さ０．３Ｓ、水との接触角４５°、加工精度０．０１ｍｍ）のフィードブロックを用い、層厚みの調整はスリットの形状で調整した。得られた積層フィルムの厚みは１２２μｍであった。また、色補正層および粘着層は実施例１と同様に形成した。得られた結果を表２に示す。近赤外線透過率、耐光性、輝度、コントラストともに満足すべきものであった。しかしながら、視野角が大きい場合、着色がわずかに気になるようになった。また、光学フィルターの色目としては着色はなかった。しかしながら、視野角５０°（画面に対して垂直な方向となす角）においては着色し、やや赤みをおびたものとなった。
【０１２３】
（実施例７）
実施例１において、積層数２０１層に変更した点と、Ａ層およびＢ層の層厚みを表２のように変更した以外は、実施例１と同様の条件とした。多層積層装置としては、２０１個のスリットを有するフィードブロック（流路面粗さ０．３Ｓ、水との接触角４５°、加工精度０．０１ｍｍ）を用い、層厚みの調整はスリットの形状で調整した。得られた積層フィルムの厚みは３８μｍであった。また、色補正層および粘着層は実施例１と同様に形成した。得られた結果を表２に示す。耐光性、輝度、コントラストは満足すべきものであった。近赤外線の遮蔽がわずかに不足していたとともに、視野角によって近赤外線がわずかに漏洩する場合があった。また、光学フィルターの色目としては着色はなく、かつ、視野角５０°（画面に対して垂直な方向となす角）においても着色は見られなかった。
【０１２４】
（実施例８）
実施例１において、樹脂Ａに、ジカルボン酸成分が、テレフタル酸７０ｍｏｌ％、イソフタル酸１５ｍｏｌ％、アジピン酸１５ｍｏｌ％からなり、ジオール成分がエチレングリコールからなる共重合ポリエステル（固有粘度０．６８）を用いた以外は、実施例１と同様の条件とした。得られた積層フィルムの厚みは１２８μｍであった。また、色補正層および粘着層は実施例２と同様に形成した。得られた結果を表２に示す。近赤外線透過率、耐光性、輝度、コントラストともに満足すべきものであった。また、光学フィルターの色目としては着色はなく、かつ、視野角５０°（画面に対して垂直な方向となす角）においても着色は見られなかった。
【０１２５】
（実施例９）
実施例１において、マルチマニホールドダイを用いず通常のシングルダイを用いて表層に樹脂Ａからなる層を形成しないようにした以外は、実施例１と同様の条件とした。また、色補正層および粘着層は実施例１と同様に形成した。得られた結果を表２に示す。近赤外線透過率、耐光性、輝度、コントラストともに満足すべきものであった。しかしながら、ハードコート層や反射防止層を形成した場合には、干渉むらが見えやすくなった。また、光学フィルターの色目としては着色はなく、かつ、視野角５０°（画面に対して垂直な方向となす角）においても着色は見られなかった。
【０１２６】
（実施例１０）
実施例９において、透明・易滑・易接着層としてポリエステル系樹脂の代わりに、アクリル系樹脂からなる層を形成した以外は、実施例９と同様の条件とした。この透明・易滑・易接着層は、実施例９と同様にしてコロナ処理を施した一軸延伸フィルムに、易滑剤（粒径０．１μｍのコロイダルシリカ固形分比０．４重量部）を含む水分散性アクリル系樹脂（濃度３．０重量％）を＃４のメタバーにて両面に塗布し、形成した。
【０１２７】
また、色補正層および粘着層は実施例１と同様に形成した。得られた結果を表２に示す。近赤外線透過率、耐光性、輝度、コントラストともに満足すべきものであった。しかしながら、ハードコート層や反射防止層を形成した場合には、実施例９よりも干渉むらが見えやすくなった。また、光学フィルターの色目としては着色はなく、かつ、視野角５０°（画面に対して垂直な方向となす角）においても着色は見られなかった。
【０１２８】
（実施例１１）
実施例１において、樹脂Ａと樹脂Ｂの吐出比が１．２で、かつ各層の厚みが表２のようになるように多層積層装置のスリット形状と各樹脂の吐出量を変更した以外は、実施例１と同様の条件とした。隣接する層の厚みは、平均すると約１．２であった。得られた積層フィルムの厚みは１３７μｍであった。
【０１２９】
また、色補正層および粘着層は実施例１と同様に形成した。得られた結果を表３に示す。近赤外線透過率、耐光性、コントラストともに満足すべきものであった。しかしながら、光学フィルターから緑色の反射がわずかに観察され、コントラストも幾分低いものとなった。また、光学フィルターの色目としては着色はなく、かつ、視野角５０°（画面に対して垂直な方向となす角）においても着色は見られなかった。
【０１３０】
（実施例１２）
実施例１において、樹脂Ａに、平均粒径が３０ｎｍの架橋ポリスチレン（０．１ｗｔ％）と、平均粒径が１．１μｍの炭酸カルシウム（０．０２５ｗｔ％）を添加し、積層フィルムの表面に透明・易滑・易接着層を形成しなかった以外は、実施例１と同様の条件とした。
【０１３１】
また、色補正層および粘着層は実施例１と同様に形成した。得られた結果を表３に示す。近赤外線透過率、耐光性、輝度、コントラストともに満足すべきものであったが、若干画像の鮮明さが悪くなった。また、光学フィルターの色目としては着色はなく、かつ、視野角５０°（画面に対して垂直な方向となす角）においても着色は見られなかった。
【０１３２】
（実施例１３）
実施例１において、色補正層の染料濃度を表３のように変更した以外は、実施例１と同様の条件とした。得られた結果を表３に示す。近赤外線透過率、耐光性、コントラストは満足すべきものであった。一方、コントラストは若干低く、他の実施例に比較して色純度もわずかに低かった。また、光学フィルターの色目としては着色はなく、かつ、視野角５０°（画面に対して垂直な方向となす角）においても着色は見られなかった。
【０１３３】
（比較例１）
実施例１において、積層数２９層に変更した以外は、実施例１と同様の条件とした。多層積層装置としては、２９個のスリットを有するフィードブロック（流路面粗さ０．３Ｓ、水との接触角４５°、加工精度０．０１ｍｍ）を用い、層厚みの調整はスリットの形状で調整した。得られた積層フィルムの厚みは６μｍであった。また、色補正層および粘着層は実施例１と同様に形成した。得られた結果を表３に示す。近赤外線透過率が高く、リモコン誤動作が発生しやすかった。また、光学フィルターの色目としては着色はなく、かつ、視野角５０°（画面に対して垂直な方向となす角）においても着色は見られなかった。
【０１３４】
（比較例２）
積層を行わず、実施例１の樹脂Ａと紫外線吸収剤Ａからなる単膜を製膜した。製膜条件は、共押出による積層以外は実施例１と同様にしたが、フィルム厚みは実施例１と同一になるように吐出量で調整した。
【０１３５】
また、色補正層および粘着層は実施例１と同様に形成した。得られた結果を表３に示す。近赤外線透過率が高く、リモコン誤動作が発生しやすかった。また、光学フィルターの色目としては着色はなく、かつ、視野角５０°（画面に対して垂直な方向となす角）においても着色は見られなかった。
【０１３６】
（比較例３）
比較例２の易接着層付き単膜フィルムを用いて、光学フィルターを作成した。光学フィルターの作成方法は以下の通り。
２．光学フィルターの作成方法
光学フィルターの色補正層に含有する染料として以下のものを準備した。
【０１３７】
染料Ａ  ：  フタロシアニン系化合物染料  山田化学工業製  ＴＲＰＣ−２２
染料Ｂ  ：  ポリフィラジン系化合物染料  山田化学工業製  ＴＡＰ−２
染料Ｃ  ：  ベンゼンジチオール系金属錯体化合物含有染料  住友精化製  ＳＤ５Ｃｕ−ＫＮＣＯ２
染料Ｄ  ：  ジイモニウム系化合物染料  日本化薬製  ＩＲＧ−０２２
これらを、アクリルコーティング剤である日本触媒製のハルスハイブリッドＩＲ−Ｇ２０５に配合した。また、これらの配合量はアクリルコーティング剤の固形分に対し表４の割合になるようにし、さらにメチルエチルケトンで固形分が２０％となるように希釈した。その後、得られた積層フィルムに乾燥膜厚が１０μｍとなるようにバーコーターで塗布し、１２０℃で３分間乾燥させた。
【０１３８】
さらに、アクリル系粘着剤である綜研化学製ＳＫダイン１４３５をメチルエチルケトンで固形分が５０％になるように希釈したのち、色補正層の上に乾燥後の粘着剤膜圧が２５μｍになるようにアプリケーターで塗布し、１２０℃で３分間乾燥させた。
【０１３９】
得られた光学フィルターの結果を表３に示す。赤外線の漏洩によるリモコンの誤動作については問題なかったものの、輝度およびコントラストが低く、従来技術並の映像しかえられなかった。また、光学フィルターの色目としては着色はなく、かつ、視野角５０°（画面に対して垂直な方向となす角）においても着色は見られなかった。
【０１４０】
（比較例４）
実施例１において、紫外線吸収剤Ａを添加しなかった以外は、実施例１と同様の条件とした。また、色補正層および粘着層は実施例１と同様に形成した。得られた結果を表４に示す。近赤外線透過率、輝度、コントラストともに満足すべきものであったが、耐光性がわるく、経時で画質が変化してしまった。また、光学フィルターの色目としては着色はなく、かつ、視野角５０°（画面に対して垂直な方向となす角）においても着色は見られなかった。
【０１４１】
（実施例１４）
実施例５において、染料Ａの代わりに、染料Ｅとしてクオタリルイミド系化合物染料  ＢＡＳＦ製ルモゲン７８８を用いた以外は、実施例１と同様の条件とした。得られた結果を表４に示す。近赤外線透過率、耐光性、輝度、コントラストともに満足すべきものであった。また、色純度については、全実施例および全比較例のなかで、もっと良いものであった。得られた光学フィルターの分光透過率を図６に示す。また、光学フィルターの色目としては着色はなく、かつ、視野角５０°（画面に対して垂直な方向となす角）においても着色は見られなかった。
【０１４２】
（比較例５）
１．易接着層付き積層フィルムの作成方法
２種類の樹脂として、樹脂Ａと樹脂Ｂを準備した。樹脂Ａとして、固有粘度０．６５のポリエチレンテレフタレート（ＰＥＴ）［東レ製Ｆ２０Ｓ］を用いた。また樹脂Ｂとしてシクロヘキサンジメタノールをエチレングリコールに対し３０ｍｏｌ％共重合したポリエチレンテレフタレート（ＣＨＤＭ共重合ＰＥＴ）［イーストマン製  ＰＥＴＧ６７６３］を用いた。また、紫外線吸収剤Ａとして２，２’−（１，４−フェニレン）ビス  （４Ｈ−３，１−ベンズオキサジン−４−オン）を用意し、これと樹脂Ａをベント付き２軸押出機にて紫外線吸収剤Ａが１２重量％となる様にコンパウンド樹脂を用意した。これら樹脂Ａとコンパウンド樹脂を紫外線吸収剤Ａが樹脂Ａに対して１ｗｔ％になるように調整し、１５０℃の温度で６時間乾燥した後、一軸押出機に供給した。また、樹脂Ｂについては、乾燥窒素雰囲気下で一昼夜、８０℃の温度で乾燥した後、ベント付き２軸押出機に供給した。
【０１４３】
それぞれ、押出機にて２８０℃の溶融状態とし、ギヤポンプおよびフィルタを介した後、２０１層（２０１個のスリットを有する部材が一つからなるフィードブロック、流路面粗さ０．３Ｓ、水との接触角４５°、加工精度０．０１ｍｍ）のフィードブロックにて合流させた。合流した樹脂ＡおよびＢは、樹脂Ａが１０１層、樹脂Ｂが１００層からなる厚み方向に交互に積層された構造とした。各樹脂層の層厚みは、一定になるように、フィードブロック内の各層の流路に設けた微細スリットの形状により、延伸後のフィルムにおいて表１に示すような厚みになるように調整した。なお、両表層部分は樹脂Ａとなるようにした。ここで隣接するＡ層とＢ層の厚み比は０．９５になるように、フィードブロックの形状および吐出量にて調整した。このようにして得られた計２０１層からなる積層体を、マルチマニホールドダイに供給、さらにその表層に別の押出機から供給した樹脂Ａかならる層を形成し、シート状に成形した後、静電印加にて表面温度２５℃に保たれたキャスティングドラム上で急冷固化した。
【０１４４】
得られたキャストフィルムを、７５℃に設定したロール群で加熱し、延伸区間長１００ｍｍの間で、フィルム両面からラジエーションヒーターにより急速加熱し、フィルム温度が９０℃の状態で、縦方向に３．４倍延伸した。その後、この一軸延伸フィルムの両面に空気中でコロナ放電処理を施し、基材フィルムの濡れ張力を５５ｍＮ／ｍとし、その処理面に、易滑剤（粒径０．１μｍのコロイダルシリカ固形分比０．４重量部）を含む水分散性ポリエステル系樹脂（濃度３．０重量％）を＃４のメタバーにて両面に塗布し、透明・易滑・易接着層を形成した。
【０１４５】
この一軸延伸フィルムをテンターに導き、１００℃の熱風で予熱後、横方向に４．０倍延伸した。延伸したフィルムは、そのまま、テンター内で２３０℃の熱風にて熱処理を行い、続いて同温度にて幅方向に７％の弛緩処理を施し、その後、室温まで徐冷後、巻き取った。得られたフィルムの厚みは、３１ｍであった。また、製膜速度を調整して、２９μｍのフィルムも得た。得られたフィルムを厚み１０μｍの透明な粘着剤で貼り合わせた。貼り合わせたフィルムについて得られた結果を表４に示す。
【０１４６】
２．光学フィルターの作成方法
光学フィルターの色補正層に含有する染料として以下のものを準備した。
【０１４７】
染料Ａ  ：  フタロシアニン系化合物染料  山田化学工業製  ＴＲＰＣ−２２
染料Ｂ  ：  ポリフィラジン系化合物染料  山田化学工業製  ＴＡＰ−２
染料Ｃ  ：  ベンゼンジチオール系金属錯体化合物含有染料  住友精化製  ＳＤ５Ｃｕ−ＫＮＣＯ２
これらを、アクリルコーティング剤である日本触媒製のハルスハイブリッドＩＲ−Ｇ２０５に配合した。また、これらの配合量はアクリルコーティング剤の固形分に対し表１の割合になるようにし、さらにメチルエチルケトンで固形分が２０％となるように希釈した。その後、得られた貼りあわせ積層フィルムに乾燥膜厚が１０μｍとなるようにバーコーターで塗布し、１２０℃で３分間乾燥させた。
【０１４８】
さらに、アクリル系粘着剤である綜研化学製ＳＫダイン１４３５をメチルエチルケトンで固形分が５０％になるように希釈したのち、色補正層の上に乾燥後の粘着剤膜圧が２５μｍになるようにアプリケーターで塗布し、１２０℃で３分間乾燥させた。
【０１４９】
得られた光学フィルターの結果を表４に示す。得られた光学フィルターは、８５０ｎｍ付近と９５０ｎｍ付近に反射率９０％以上の鋭い反射ピークが存在したが、プラズマディスプレイに貼り合わせた場合、角度によってはリモコンの誤動作が頻発した。また、光学フィルターの色目としては着色はなく、かつ、視野角５０°（画面に対して垂直な方向となす角）においても着色は見られなかった。
【０１５０】
（比較例６）
フィードブロックのスリット形状を調整して、表４のように各層の厚みを調整した以外は実施例１と同様の製膜条件で積層フィルムを製膜し、光学フィルターを得た。得られた光学フィルターは、７００ｎｍ〜８５０ｎｍまで反射率９０％以上で近赤外線を反射していたが、プラズマディスプレイに貼り合わせた場合、視野角によっては、画面が赤っぽく着色して見えるとともに、赤外線の漏洩によるリモコンの誤動作が頻発した。
【０１５１】
（実施例１５）
実施例１において、縦延伸倍率を３．６倍、横延伸倍率を４．５倍に変更し、積層数を１０１層として、Ａ層およびＢ層の層厚みを表５のように変更した以外は、実施例１と同様の条件とした。多層積層装置としては、１０１個のスリットを有するフィードブロック（流路面粗さ０．３Ｓ、水との接触角４５°、加工精度０．０１ｍｍ）を用い、層厚みの調整はスリットの形状で調整した。得られた積層フィルムの厚みは２４．６μｍであった。また、色補正層および粘着層は実施例１と同様に形成した。得られた結果を表５に示す。耐光性、輝度、コントラストは満足すべきものであった。しかしながら、近赤外線の遮蔽が不足していたとともに、視野角によって近赤外線がわずかに漏洩する場合があった。また、光学フィルターの色目としては着色はなく、かつ、視野角５０°（画面に対して垂直な方向となす角）においても着色は見られなかった。
【０１５２】
【表１】
2006126315.tif 000003
【０１５３】
【表２】
2006126315.tif 000004
【０１５４】
【表３】
2006126315.tif 000005
【０１５５】
【表４】
2006126315.tif 000006
【０１５６】
【表５】
2006126315.tif 000007
【産業上の利用可能性】
【０１５７】
本発明は、光学フィルターに関するものである。更に詳しくは、プラズマディスプレイ、フィールドエミッションディスプレイ、有機エレクトロルミネッサンス、無機エレクトロルミネッサンス、ＣＲＴ、プロジェクター、スクリーン等の表示装置や、カメラ、デジタルカメラ、スキャナーなどの画像撮影装置や、ＣＣＤやＣ−ＭＯＳイメージセンサーなどの固体表示素子に好適な光学フィルターに関するものである。
【図面の簡単な説明】
【０１５８】
【図１】積層装置およびその構成部品
【図２】スリット部
【図３】スリット部と樹脂供給部とを連結した状態の断面図
【図４】合流装置
【図５】実施例５の光学フィルターの可視光線分光透過率図である。
【図６】実施例１４の光学フィルターの可視光線分光透過率図である。
【符号の説明】
【０１５９】
１：  側板
２：  樹脂Ａ供給部
３：  スリット部
３ａ、３ｂ：  スリット
４：  樹脂Ｂ供給部
５：  スリット部
６：  樹脂Ａ供給部
７：  スリット部
８：  樹脂Ｂ供給部
９：  側板
１０：  積層装置  １１：  導入口
１２：  液溜部
１８：  合流装置
【図１】
2006126315.tif 000008
【図２】
2006126315.tif 000009
【図３】
2006126315.tif 000010
【図４】
2006126315.tif 000011
【図５】
2006126315.tif 000012
【図６】
2006126315.tif 000013